(57)【要約】【課題】Ｄ２Ｄ通信に用いられている無線リソースを適切なものに切り替えること。【解決手段】第１の端末装置１０および第２の端末装置２０は、端末間通信を実行している無線リソース以外の少なくとも一部の無線リソースにおける参照信号を、相手方の端末装置との間で送信し、上記参照信号を用いて、端末間通信を実行している無線リソース以外の少なくとも一部の無線リソースの無線品質を測定し、測定された無線品質に応じて、無線リソースの切り替え処理を行う。【選択図】図１
2016092745.tif 000002
【特許請求の範囲】
【請求項１】
複数の端末装置の間で、基地局装置を介さない直接的な無線通信を行う端末間通信を行う端末装置であって、
端末間通信を実行している無線リソース以外の少なくとも一部の無線リソースを用いて、相手方の端末装置との間で参照信号を送信する制御を行う参照信号制御部と、
相手方の端末装置から送信された参照信号を用いて、前記端末間通信を実行している無線リソース以外の少なくとも一部の無線リソースの無線品質を測定する測定部と、
前記測定部において測定された無線品質に応じて、無線リソースの切り替え処理を行う無線リソース制御部と、
を備えることを特徴とする端末装置。
【請求項２】
前記参照信号制御部は、端末間通信が実行される無線リソースを用いて、相手方の端末装置との間で参照信号を送信する制御を行い、
前記測定部は、相手方の端末装置から送信された参照信号を用いて、前記端末間通信を実行している無線リソースの無線品質を測定する第１の測定を行い、
前記参照信号制御部は、前記測定部において測定された無線品質が所定の閾値以下である場合に、端末間通信を実行している無線リソース以外の少なくとも一部の無線リソースにおける参照信号の送信要求を相手方の端末装置へ送信する制御と、前記送信要求に対する応答を受けて、端末間通信を実行している無線リソース以外の少なくとも一部の無線リソースを用いて相手方の端末装置に対して参照信号を送信する制御とを行い、
前記測定部は、相手方の端末装置から送信された参照信号を用いて、前記端末間通信を実行している無線リソース以外の少なくとも一部の無線リソースの無線品質を測定する第２の測定を行い、
前記無線リソース制御部は、前記測定部においてなされた第２の測定の測定結果に応じて、無線リソースの切り替え処理を行う
ことを特徴とする請求項１に記載の端末装置。
【請求項３】
前記参照信号制御部は、前記第１の測定の結果が所定の閾値以下である場合に、複数の無線リソースのうち、端末間通信を実行している無線リソース以外の少なくとも一部の無線リソースにおける参照信号の送信要求を、相手方の端末装置の識別情報とともに前記基地局装置へ送信する制御を行うことを特徴とする請求項２に記載の端末装置。
【請求項４】
前記参照信号制御部は、参照信号を送信するための無線リソースとして基地局装置から予め通知された無線リソースであって、端末間通信を実行している無線リソース以外の無線リソースを用いて、相手方の端末装置との間で参照信号を送信しあう
ことを特徴とする請求項１から３のいずれか１項に記載の端末装置。
【請求項５】
前記参照信号制御部は、基地局装置から予め通知された制御情報であって、参照信号の送信タイミングおよび／または送信頻度が含まれた制御情報を用いて、参照信号の送信を制御する
ことを特徴とする請求項１から４のいずれか１項に記載の端末装置。
【請求項６】
複数の端末装置の間で、基地局装置を介さない直接的な無線通信を行う端末間通信を制御する基地局装置であって、
端末間通信に使用可能な無線リソースを割り当てるリソース割当部と、
前記端末装置に対して、端末間通信を実行している無線リソース以外の少なくとも一部の無線リソースを測定するための参照信号の送信を制御するための制御情報を設定する制御情報設定部と、
前記リソース割当部によって割り当てられた無線リソースに関する情報と、前記制御情報設定部により設定された制御情報とを前記端末装置に送信する送信部と、
を備え、
前記リソース割当部は、端末間通信のために割り当てた無線リソース以外の無線リソースを参照信号送信用としてさらに割り当てる
ことを特徴とする基地局装置。
【請求項７】
前記制御情報設定部は、前記制御情報として、前記参照信号の送信頻度、および／または、前記参照信号の送信タイミングとしてのサブフレーム内の時間オフセットを設定することを特徴とする請求項６に記載の基地局装置。
【請求項８】
前記制御情報設定部は、前記制御情報として、前記参照信号の送信開始の契機として端末装置に用いられるべき閾値であって、前記端末間通信を実行している無線リソースにおける無線品質の測定に用いられる閾値を設定することを特徴とする請求項６または７に記載の基地局装置。
【請求項９】
基地局装置を介さない直接的な無線通信を行う端末間通信を行う第１の端末装置と第２の端末装置とを備える通信システムに用いられる方法であって、
前記第１の端末装置および前記第２の端末装置は、
端末間通信を実行している無線リソース以外の少なくとも一部の無線リソースを用いて、相手方の端末装置との間で参照信号を送信し、
前記参照信号を用いて、前記端末間通信を実行している無線リソース以外の少なくとも一部の無線リソースの無線品質を測定し、
前記測定部で測定した結果に応じて、端末間通信に使用すべき無線リソースを制御すること
を含む通信方法。
【請求項１０】
基地局装置を介さない直接的な無線通信を行う端末間通信を行う第１の端末装置と第２の端末装置とを備える通信システムに用いられる方法であって、
前記第１の端末装置および前記第２の端末装置は、端末間通信を実行している無線リソースを用いて、相手方の端末装置との間で第１の参照信号を送信し、
前記第１の端末装置および前記第２の端末装置の少なくとも一方は、前記第１の参照信号を用いて、前記端末間通信を実行している無線リソースの無線品質を測定する第１の測定を行い、
前記第１の測定を行った端末装置は、前記第１の測定の結果が所定の閾値以下である場合に、端末間通信を実行している無線リソース以外の少なくとも一部の無線リソースにおける第２の参照信号の送信要求を相手方の端末装置へ送信し、
前記第１の端末装置および前記第２の端末装置は、
前記送信要求に基づいて、前記第２の参照信号を相手方の端末装置との間で送信し、
前記第２の参照信号を用いて、前記端末間通信を実行している無線リソース以外の少なくとも一部の無線リソースの無線品質を測定する第２の測定を行い、
前記第２の測定の結果に応じて、端末間通信に使用すべき無線リソースを制御すること
を含む通信方法。
【請求項１１】
基地局装置と、前記基地局装置を介さない直接的な無線通信を行う端末間通信を行う第１の端末装置と第２の端末装置とを備える通信システムに用いられる方法であって、
前記第１の端末装置および前記第２の端末装置は、端末間通信を実行している無線リソースにおける第１の参照信号を、相手方の端末装置との間で送信し、
前記第１の端末装置および前記第２の端末装置の少なくとも一方は、前記第１の参照信号を用いて、前記端末間通信を実行している無線リソースの無線品質を測定する第１の測定を行い、
前記第１の測定を行った端末装置は、前記第１の測定の結果が所定の閾値以下である場合に、端末間通信を実行している無線リソース以外の少なくとも一部の無線リソースにおける第２の参照信号の送信要求を、相手方の端末装置の識別情報とともに前記基地局装置へ送信し、
前記基地局装置は、前記識別情報で特定される相手方の端末装置へ前記送信要求を送信し、
前記第１の端末装置および前記第２の端末装置は、
前記送信要求に基づいて、前記第２の参照信号を相手方の端末装置との間で送信し、
前記第２の参照信号を用いて、前記端末間通信を実行している無線リソース以外の少なくとも一部の無線リソースの無線品質を測定する第２の測定を行い、
前記第２の測定の結果に応じて、端末間通信に使用すべき無線リソースを制御すること
を含む通信方法。
【発明の詳細な説明】
【技術分野】
【０００１】
本発明は、無線通信システムにおいて、端末装置間で直接通信を行うための端末装置、基地局装置、および通信方法に関する。
【背景技術】
【０００２】
近年、Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）においては、複数の端末装置（Ｕｓｅｒ  Ｅｑｕｉｐｍｅｎｔ。以下、ＵＥという。）が基地局装置を介さずに直接通信を行うための技術である端末間通信（Ｄｅｖｉｃｅ  ｔｏ  Ｄｅｖｉｃｅ  Ｃｏｍｍｕｎｉｃａｔｉｏｎ。以下、Ｄ２Ｄ通信という。）について議論がなされている。
【０００３】
Ｄ２Ｄ通信は、例えば、ＬＴＥなどのセルラ通信のアップリンクに使用されている無線リソースの一部を用いて実行される。Ｄ２Ｄ通信が適用可能となる端末装置間の距離は、数１００ｍ程度と言われている。３ＧＰＰ（３ｒｄ  Ｇｅｎｅｒａｔｉｏｎ  Ｐａｒｔｎｅｒｓｈｉｐ  Ｐｒｏｊｅｃｔ）  Ｒｅｌｅａｓｅ  １２では、端末装置が近傍に位置する端末を検出する方法や、不特定の端末装置に対してデータをブロードキャストする手法が提案されている（たとえば、非特許文献１乃至３を参照。）。
【先行技術文献】
【非特許文献】
【０００４】
【非特許文献１】３ＧＰＰ  ＴＲ２２．８０３  Ｖｅｒ．１２．２．０  “Feasibility study for Proximity Services”  ２０１３年６月
【非特許文献２】３ＧＰＰ  ＴＳ２３．３０３  Ｖｅｒ．１２．１．０  “Proximity-based services”  ２０１４年６月
【非特許文献３】３ＧＰＰ  ＴＲ３６．８４３  Ｖｅｒ．１２．０．１  "Study on LTE Device to Device Proximity Services"  ２０１４年３月
【発明の概要】
【発明が解決しようとする課題】
【０００５】
しかしながら、上記の非特許文献１乃至３の従来技術では、Ｄ２Ｄ通信のための無線リソースは、Ｄ２Ｄ通信リンク間の無線品質情報がないまま基地局が決定していたため、適切な切り替えが難しかった。
【０００６】
本発明はかかる課題に鑑みてなされたものであり、その目的は、Ｄ２Ｄ通信の無線リソースを適切に切り替えることを可能にする端末装置、基地局装置、および通信方法を提供することにある。
【課題を解決するための手段】
【０００７】
本発明のある態様は、端末装置に関する。この端末装置は、複数の端末装置の間で、基地局装置を介さない直接的な無線通信を行う端末間通信を行う端末装置であって、端末間通信を実行している無線リソース以外の少なくとも一部の無線リソースを用いて、相手方の端末装置との間で参照信号を送信する制御を行う参照信号制御部と、前記参照信号を用いて、前記端末間通信を実行している無線リソース以外の少なくとも一部の無線リソースの無線品質を測定する測定部と、測定部において測定された無線品質に応じて、無線リソースの切り替え処理を行う無線リソース制御部を備える。また、参照信号制御部は、参照信号を送信するための無線リソースとして基地局装置から予め通知された無線リソースであって、端末間通信を実行している無線リソース以外の無線リソースを用いて、相手方の端末装置との間で参照信号を送信してもよい。また、参照信号制御部は、基地局装置から予め通知された制御情報であって、参照信号の送信タイミングおよび／または送信頻度が含まれた制御情報を用いて、参照信号の送信を制御してもよい。
【０００８】
このような態様によると、Ｄ２Ｄ通信に使用していない無線リソースにおける参照信号を送信することで、Ｄ２Ｄ通信に使用していない無線リソースの無線品質を測定できるようになる。この測定結果を用いることで、Ｄ２Ｄ通信を行う無線リソースを無線品質が良好なものに設定できることとなり、適切な切替処理が可能になる。
【０００９】
本発明の別の態様は、基地局装置に関する。この基地局装置は、複数の端末装置の間で、基地局装置を介さない直接的な無線通信を行う端末間通信を制御する基地局装置であって、端末間通信に使用可能な無線リソースを割り当てるリソース割当部と、前記端末装置に対して、端末間通信を実行している無線リソース以外の少なくとも一部の無線リソースを測定するための参照信号の送信を制御するための制御情報を設定する制御情報設定部とを備える。
【００１０】
このような態様によると、制御情報によって、例えば、Ｄ２Ｄ通信の通信品質が低下した場合に参照信号の送信を開始させる、時間、周波数領域において第２の参照信号の送信頻度を減らす、または、時間オフセットを付与する、等を行うように制御することで、参照信号の送信回数を削減できるため、実行中のＤ２Ｄ通信への与干渉を回避し、端末装置の電力消費を抑えることが可能になる。
【００１１】
本発明の別の態様は、通信方法に関する。この通信方法は、基地局装置を介さない直接的な無線通信を行う端末間通信を行う第１の端末装置と第２の端末装置とを備える通信システムに用いられる方法であって、前記第１の端末装置および前記第２の端末装置は、端末間通信を実行している無線リソース以外の少なくとも一部の無線リソースにおける参照信号を、相手方の端末装置との間で送信し、前記参照信号を用いて、前記端末間通信を実行している無線リソース以外の少なくとも一部の無線リソースの無線品質を測定し、前記測定部で測定した結果に応じて、端末間通信に使用する無線リソースを適応的に制御することを含む。
【００１２】
このような態様によると、Ｄ２Ｄ通信に使用していない無線リソースにおける参照信号を送信することで、Ｄ２Ｄ通信に使用していない無線リソースの無線品質を測定できるようになる。この測定結果に応じて、Ｄ２Ｄ通信を行う無線リソースを適応的に選択・変更できるため、Ｄ２Ｄ通信の通信品質を改善し、無線リソースの有効活用が可能になる。
【００１３】
なお、以上の構成要素の任意の組み合わせ、本発明の表現を方法、装置、システム、コンピュータプログラムなどの間で変換したものもまた、本発明の態様として有効である。
【発明の効果】
【００１４】
本発明によれば、Ｄ２Ｄ通信の無線リソースを適切に切り替えることを可能にする端末装置、基地局装置、および通信方法を提供できる。
【図面の簡単な説明】
【００１５】
【図１】本発明の一実施形態にかかる無線通信システムの構成例を示す図である。
【図２】図１の端末装置の構成例を示す図である。
【図３】図１の基地局装置の構成例を示す図である。
【図４】実施例１にかかる無線通信システムの動作例を示すシーケンス図である。
【図５】実施例２にかかる無線通信システムの動作例を示すシーケンス図である。
【図６】実施例３にかかる無線通信システムの動作例を示すシーケンス図である。
【発明を実施するための形態】
【００１６】
（本発明の概要）
本発明の実施例を説明する前に、まず、本発明の概要を述べる。本発明は、端末装置同士が直接的に無線通信を行うＤ２Ｄ通信の技術に関する。本発明にかかる端末装置は、Ｄ２Ｄ通信を実行している無線リソースとは別の無線リソース（以下、未使用無線リソース）を用いて、相手方の端末装置との間で参照信号を送信しあい、受信した参照信号を用いて、未使用無線リソースの無線品質を測定する。また、本発明にかかる基地局装置は、Ｄ２Ｄ通信を実行している無線リソースとは別の無線リソースを測定するための参照信号の送信を制御するための制御情報を設定し、設定した制御情報を端末装置に送信する。
【００１７】
未使用無線リソースを用いて送信された参照信号を測定することで、未使用無線リソースの無線品質を測定できるようになる。この測定結果を用いて、例えば、Ｄ２Ｄ通信を行う無線リソースを適切に選択し、変更することが可能になる。
【００１８】
３ｇｐｐ  Ｒｅｌｅａｓｅ  １２において提案されているＤ２Ｄ処理において、Ｄ２Ｄ通信中の複数の端末装置はＤ２Ｄ通信を行っている無線リソースのみでチャネル品質測定用の参照信号を送信し合うものであり、それ以外の無線リソースでは参照信号は送信されない。そのため、Ｄ２Ｄ通信の通信品質に応じて、Ｄ２Ｄ通信を行う無線リソースを適時に選択・変更できなかった。
【００１９】
本発明は、以上の課題を解決しており、未使用無線リソースにおいて参照信号を送信することで、未使用無線リソースの無線品質を測定できるようになる。この測定結果を用いて、Ｄ２Ｄ通信を行う無線リソースを適切に選択・変更することが可能になるため、Ｄ２Ｄ通信の通信品質を改善し、無線リソースの有効活用が可能になる。また、制御情報によりＤ２Ｄ通信の通信品質が低下した場合に参照信号の送信を開始させる、時間、周波数領域において第２の参照信号の送信頻度を減らす、または、時間オフセットを付与する、等を行うように制御することで、参照信号の送信回数を低減できるため、実行中のＤ２Ｄ通信への与干渉を抑制し、端末装置の電力消費を抑えることが可能になる。
【００２０】
（無線通信システムの構成例）
図１は、本発明の一実施形態にかかる無線通信システムの構成例を示す図である。無線通信システム１００は、第１端末装置１０と、第２端末装置２０と、基地局装置３０とを含む。
【００２１】
第１端末装置１０および第２端末装置２０は、基地局装置３０との間でセルラ通信を実施可能な無線端末である。また、第１端末装置１０および第２端末装置２０は、セルラ通信のアップリンク無線リソースの一部を利用して、基地局装置３０を経由しない端末間通信（Ｄ２Ｄ通信）が実行可能な端末である。
【００２２】
ここでは、第１端末装置１０および第２端末装置２０は、基地局装置３０に対してＲＲＣ＿ＣＯＮＮＥＣＴＥＤ状態であるものとする。ＲＲＣ＿ＣＯＮＮＥＣＴＥＤ状態とは、基地局装置によって無線リソースが管理され、端末装置がデータを送受信できる状態を指し、データの送受信、ＣＱＩ（Ｃｈａｎｎｅｌ  Ｑｕａｌｉｔｙ  Ｉｎｄｉｃａｔｏｒ）などの情報の基地局装置へのフィードバックなどの機能が実行可能な状態となっている。第１端末装置１０および第２端末装置２０は、基地局装置３０からＤ２Ｄ通信に使用可能な無線リソースを割り当てられており、このＤ２Ｄ通信に使用可能な無線リソースの一部を選択して、相手方の端末装置との間でＤ２Ｄ通信を開始することができる。
【００２３】
本実施形態においては、第１端末装置１０および第２端末装置２０は、Ｄ２Ｄ通信を実行している無線リソースにおける参照信号（第１の参照信号と称する。）だけでなく、未使用無線リソースを用いた参照信号（第２の参照信号と称する。）を相手方の端末装置との間で送信することができる。さらに、第２の参照信号を用いて、未使用無線リソースの無線品質を測定する。この第２の参照信号を用いることで、第１端末装置１０および第２端末装置２０は、未使用無線リソースの無線品質を測定することを可能にする。
【００２４】
また、基地局装置３０は、第１端末装置１０および第２端末装置２０に対して、Ｄ２Ｄ通信を実行している無線リソース以外の１以上の未使用無線リソースを測定するための第２の参照信号の送信を制御するための制御情報を設定することができる。この制御情報によって、Ｄ２Ｄ通信の通信品質が低下した場合に参照信号の送信を開始させる、時間、周波数領域において第２の参照信号の送信頻度を減らす、または、時間オフセットを付与する、等を行うように制御することで、第２の参照信号の送信回数を低減できるため、実行中のＤ２Ｄ通信への与干渉を抑制し、端末装置の電力消費を抑えることが可能になる。
【００２５】
（端末装置の構成例）
図２は、図１の第１端末装置１０および第２端末装置２０として用いられる端末装置の構成例を示す図である。端末装置は、通信部１２と、制御部１４と、記憶部１６と、ユーザインタフェース（ユーザＩＦ）１８とを備える。
【００２６】
通信部１２は、セルラ通信部１２２と、端末間通信部１２４とを含む。セルラ通信部１２２は、制御部１４による制御に従って、基地局装置３０との間で無線により通信を行う。端末間通信部１２４は、制御部１４による制御に従って、基地局装置３０から予め通知されるＤ２Ｄ通信に使用可能な無線リソースの一部を利用して、Ｄ２Ｄ通信の相手方となる端末装置との間で、基地局装置３０を経由せずに直接的に通信を行う。これらの通信処理は、公知の変復調技術、アンテナ技術が用いられてもよい。
【００２７】
記憶部１６は、基地局装置３０もしくはＤ２Ｄ通信の相手方の端末装置から送信されたデータを記憶し、また、基地局装置３０もしくはＤ２Ｄ通信の相手方の端末装置に対して送信すべき、ユーザＩＦ１８を通じて得たデータを記憶してもよい。ユーザＩＦ１８は、画面インタフェースと、操作ボタンやタッチパネルなどのユーザからの入力を受け付ける入力インタフェースと、カメラなどの画像撮像手段を含んでもよい。
【００２８】
制御部１４は、例えば、ＣＰＵにより構成され、セルラ通信部１２２もしくは端末間通信部１２４から受信された情報、または記憶部１６に記憶された情報を用いて、各部を統括的に制御する。制御部１４は、参照信号制御部１４２と、測定部１４４と、無線リソース制御部１４６とを含む。
【００２９】
制御部１４は、基地局装置３０からＤ２Ｄ通信に使用可能な無線リソース情報を含む制御メッセージをセルラ通信部１２２により受信して、使用可能な無線リソースのうちの少なくとも一部を選択して、端末間通信部１２４により相手方の端末装置との間におけるＤ２Ｄ通信の実行を制御する。
【００３０】
参照信号制御部１４２は、Ｄ２Ｄ通信を行っている無線リソースで、Ｄ２Ｄ通信中の無線リソースのチャネル品質を測定するための第１の参照信号を、データとともに相手方の端末装置との間で送信しあう制御を行う。さらに、参照信号制御部１４２は、基地局装置３０から予め通知されたＤ２Ｄ通信に使用可能な無線リソースのうち、Ｄ２Ｄ通信に使用していない全てまたは一部の未使用無線リソースにおける第２の参照信号を、Ｄ２Ｄ通信の相手方の端末装置との間で送信するための制御を行う。これにより、後述する測定部１４４は、相手方の端末装置から送信された第２の参照信号を用いて、未使用無線リソースの無線品質を測定することが可能になる。
【００３１】
また、参照信号制御部１４２は、測定部１４４において測定された無線品質が所定の閾値以下である場合に、未使用無線リソースにおける参照信号の送信要求を相手方の端末装置へ送信する制御を行ってもよい。さらに、参照信号制御部１４２は、送信要求に対する応答を受けて、未使用無線リソースを用いて相手方の端末装置に対して参照信号を送信する制御を行ってもよい。
【００３２】
また、参照信号制御部１４２は、参照信号を送信するための無線リソースとして基地局装置３０から予め通知された無線リソースを用いて、相手方の端末装置との間で参照信号を送信してもよい。また、参照信号制御部１４２は、基地局装置３０から予め通知された制御情報であって、参照信号の送信タイミングおよび／または送信頻度が含まれた制御情報を用いて、参照信号の送信を制御する。
【００３３】
なお、第２の参照信号の送信処理に関する詳細は、例えば、基地局装置３０から予め通知されてもよい。たとえば、第２の参照信号の送信頻度、および／または送信タイミングとしてのサブフレーム内の時間オフセットなどを含む制御情報が通知されてもよい。また、参照信号制御部１４２は、相手方の端末装置から送信される第１の参照信号によりＤ２Ｄ通信を実行中の無線リソースの無線品質を測定し、測定結果に基づいて通信品質が低下したと判断したことを契機に、第２の参照信号の送信を開始することもできる。
【００３４】
測定部１４４は、Ｄ２Ｄ通信の相手方の端末装置から送信され端末間通信部１２４により受信された第１の参照信号を用いて、Ｄ２Ｄ通信を実行中の無線リソースの無線品質を測定する（第１の測定と称する。）。さらに、測定部１４４は、Ｄ２Ｄ通信の相手方の端末装置から送信され端末間通信部１２４により受信された第２の参照信号を用いて、未使用無線リソースの無線品質を測定する（第２の測定と称する。）。
【００３５】
すなわち、第１の測定においてはＤ２Ｄ通信を行っている無線リソースをそのまま用いてもよいかどうかを判定している。この結果、他の無線リソースに切り替えた方が良いと判定された場合には、切り替え先の無線リソースの候補を探すために、未使用無線リソースを対象とした第２の測定を行うこととなる。それぞれの測定は測定された無線品質としきい値とを比較することによりなされ、無線品質のほうがしきい値よりも大きかった場合、無線品質が良好であると判定されてもよい。ここで、第１の測定、および、第２の測定に用いるしきい値は同じものであってもよいし、異なるものであってもよい。切り替えが頻繁に起こらないようにするために、第２の測定に用いるしきい値を第１の測定に用いるしきい値よりも高く設定してもよい。これにより、ネットワークの安定性を向上することができる。なお、これらのしきい値は、制御情報の一部に含まれて、基地局装置から予め受信していてもよい。
【００３６】
例えば、ＬＴＥシステムにおいては、無線品質として、参照信号の受信信号電力（ＲＳＲＰ：Ｒｅｆｅｒｅｎｃｅ  Ｓｉｇｎａｌ  Ｒｅｃｅｉｖｅｄ  Ｐｏｗｅｒ）および／または受信信号品質（ＲＳＲＱ：Ｒｅｆｅｒｅｎｃｅ  Ｓｉｇｎａｌ  Ｒｅｃｅｉｖｅｄ  Ｑｕａｌｉｔｙ）が測定される。制御部１４は、例えば、第１の測定および第２の測定における測定結果をチャネル品質指標（ＣＱＩ：Ｃｈａｎｎｅｌ  Ｑｕａｌｉｔｙ  Ｉｎｄｉｃａｔｏｒ）として、基地局装置３０に報告することができる。
【００３７】
無線リソース制御部１４６は、測定部１４４においてなされた第２の測定の測定結果に応じて、無線リソースの切り替え処理を行う。
【００３８】
（基地局装置の構成例）
図３は、図１の基地局装置３０の構成例を示す図である。基地局装置３０は、通信部３２と、制御部３４と、記憶部３６とを含む。
【００３９】
通信部３２は、無線通信部３２２と、ネットワーク通信部３２４とを含む。無線通信部３２２は、記憶部３６に記憶された情報を制御部３４が使用しながら、自局の通信エリアに属する第１端末装置１０、第２端末装置２０のそれぞれと、所定のセルラ方式を用いてセルラ無線通信を実行する。また、無線通信部３２２は、リソース割当部３４２によって割り当てられた無線リソースに関する情報と、制御情報設定部３４４により設定された制御情報とを端末装置に送信する。ネットワーク通信部３２４は、Ｓ１インタフェース、もしくはＸ２インタフェースを介して、隣接する他の基地局装置との間で基地局間通信を行う。
【００４０】
制御部３４は、リソース割当部３４２と、制御情報設定部３４４とを含む。リソース割当部３４２は、Ｄ２Ｄ通信を実施可能な端末装置から送られてくる無線リソース割当要求に応じて、例えば、セルラ通信のアップリンク無線リソースの一部をＤ２Ｄ通信用無線リソースとして割り当てる。無線通信部３２２は、リソース割当部３４２で割り当てたＤ２Ｄ通信用無線リソースに関する情報を含む制御メッセージを、Ｄ２Ｄ通信を実施する端末装置に対して送信する。また、リソース割当部３４２は、Ｄ２Ｄ通信のために割り当てた無線リソース以外の無線リソースを参照信号送信用としてさらに割り当ててもよい。
【００４１】
制御情報設定部３４４は、Ｄ２Ｄ通信を実施可能な端末装置に対し、上記第２の参照信号の送信を制御する制御情報を設定し、設定した制御情報を無線通信部３２２から各端末装置へ送信する。この制御情報は、例えば、第２の参照信号の送信頻度、および／または送信タイミングとしてのサブフレーム内の時間オフセットを含むことができる。また、制御情報設定部３４４は、制御情報として、第２の測定で用いられる１以上のしきい値を設定してもよい。また、制御情報設定部３４４は、制御情報として、参照信号の送信開始の契機として第１の測定において用いられるべき閾値であって、Ｄ２Ｄ通信を実行している無線リソースにおける無線品質の測定に用いられる閾値を設定してもよい。
【００４２】
第２の参照信号は、Ｄ２Ｄ通信に使用していない無線リソースにおける無線品質を測定するために用いられるため、実行中のＤ２Ｄ通信における与干渉を低減する、端末装置の消費電力を削減する、等の観点から、常に第２の参照信号を送信せず、Ｄ２Ｄ通信の通信品質が低下した場合に送信を開始させる、時間、周波数領域において第２の参照信号の送信頻度を減らす、または、時間オフセットを付与する、等を行ってもよい。なお、Ｄ２Ｄ通信を行う端末装置が異なる基地局装置と接続している場合、上記の制御情報は、当該基地局装置が接続しているバックホール回線（例えばＸ２インターフェース）を用いて共有してもよいし、Ｄ２Ｄ通信を行う端末装置間で直接共有してもよい。
【００４３】
次に、このように構成された無線通信システムの動作について、各実施例に従って説明する。なお、各実施例において、既出の構成、動作については、同じ符号を用いることによってその説明を簡略化する。以下、本明細書において同様である。
【００４４】
（実施例１）
本発明の実施例１について、図４を用いて説明する。図４は、実施例１にかかる無線通信システムの動作例を示すシーケンス図である。この無線通信システムには、図１に示したように、Ｄ２Ｄ通信を行う第１端末装置１０および第２端末装置２０と、Ｄ２Ｄ通信をサポートする基地局装置３０とが存在する。
【００４５】
図４において、基地局装置３０は、あらかじめＤ２Ｄ通信に使用可能な無線リソース情報を含む制御メッセージを第１端末装置１０および第２端末装置２０へ通知する（Ｓ１ａ，Ｓ１ｂ）。また、基地局装置３０は、必要に応じて、あらかじめ第２の参照信号の送信を制御するための制御情報を第１端末装置１０および第２端末装置２０へ通知することができる（Ｓ１ｃ，Ｓ１ｄ）。第１端末装置１０および第２端末装置２０は、Ｓ１ａおよびＳ１ｂで基地局装置３０から通知された無線リソースの一部を選択してＤ２Ｄ通信を開始し、データと、必要に応じて、Ｄ２Ｄ通信を行っている無線リソースで無線品質を測定するための第１の参照信号とを送信する（Ｓ１ｅ）。
【００４６】
さらに、実施例１における第１端末装置１０および第２端末装置２０は、Ｄ２Ｄ通信中に、Ｓ１ａおよびＳ１ｂで基地局装置３０から通知されているＤ２Ｄ通信に使用可能な無線リソースであって、かつ当該端末装置がＤ２Ｄ通信に使用していない１以上の未使用無線リソースを用いて第２の参照信号を互いに送信する（Ｓ１ｆ）。相手方の端末装置から送信された第２の参照信号を用いて、第１端末装置１０および第２端末装置２０のそれぞれは、未使用無線リソースの無線品質を測定する（Ｓ１ｇ，Ｓ１ｈ）。Ｄ２Ｄ通信を行っている無線リソースの無線品質が低下した際などに、セルラ通信と同じような仕組みを使用して、Ｄ２Ｄ通信を行う端末装置間でＳ１ｇおよびＳ１ｈで測定した無線品質情報を共有し、次に使用すべき無線リソースを適切に選択し、切替処理を行い、基地局に報告する（Ｓ１ｉ）。
【００４７】
なお、実行中のＤ２Ｄ通信における与干渉を減らす、端末装置の消費電力を削減する、等の観点から、常に第２の参照信号を送信せず、時間、周波数領域において第２の参照信号の送信頻度を減らす、時間オフセットを付与する、等を行ってもよい。なお、これらの制御情報は基地局装置３０が管理し、Ｓ１ｃ，Ｓ１ｄで各端末装置へ通知することができる。また、Ｄ２Ｄ通信を行う端末装置が異なる基地局装置と接続している場合、これらの制御情報は、当該基地局装置３０が接続しているバックホール回線（例えばＸ２インターフェース）を用いて共有してもよいし、Ｄ２Ｄ通信を行う端末装置間で直接共有してもよい。
【００４８】
以上述べたように、実施例１では、端末装置がＤ２Ｄ通信を行っている無線リソースだけでなく、Ｄ２Ｄ通信に使用していない無線リソースにおいて参照信号を送信することで、Ｄ２Ｄ通信に使用していない無線リソースの無線品質を測定できるようになる。これにより、Ｄ２Ｄ通信の通信品質に応じて、Ｄ２Ｄ通信を行う無線リソースを適切に選択・変更できるため、Ｄ２Ｄ通信の通信品質を改善し、無線リソースの有効活用が可能になる。
【００４９】
（実施例２）
本発明の実施例２について、図５を用いて説明する。図５は、実施例２にかかる無線通信システムの動作例を示すシーケンス図である。実施例１と同様に、この無線通信システムには、Ｄ２Ｄ通信を行う第１端末装置１０および第２端末装置２０と、Ｄ２Ｄ通信をサポートする基地局装置３０とが存在する。上記実施例１では、各端末装置がＤ２Ｄ通信中において常に第２の参照信号を送信し合うものであるが、実施例２では、Ｄ２Ｄ通信を実行中の無線リソースの無線品質が低下した場合に、第２の参照信号を送信し合うようにする。
【００５０】
図５において、基地局装置３０は、あらかじめＤ２Ｄ通信に使用可能な無線リソース情報を含む制御メッセージを端末装置へ通知している（Ｓ２ａ，Ｓ２ｂ）。また、上記実施例１と同様に、基地局装置３０は、必要に応じて、あらかじめ第２の参照信号の送信を制御するための制御情報を第１端末装置１０および第２端末装置２０へ通知することができる。第１端末装置１０および第２端末装置２０は、Ｓ２ａおよびＳ２ｂで基地局装置３０から通知された無線リソースの一部を選択してＤ２Ｄ通信を開始し、Ｄ２Ｄ通信を行っている無線リソースで無線品質を測定するための第１の参照信号と、データとを送信する（Ｓ２ｃ）。
【００５１】
ここで、上記実施例１と異なり、実施例２における第２端末装置２０は、Ｄ２Ｄ通信を行っている無線リソースにおける無線品質を測定し（Ｓ２ｄ）、当該無線品質が所定の閾値以下になった場合に、Ｄ２Ｄ通信の相手方の第１端末装置１０に対して、当該端末装置がＤ２Ｄ通信に使用していない全てまたは一部の無線リソースにおける第２の参照信号の送信を要求する（Ｓ２ｅ）。この第２の参照信号の送信要求に応じて、第１端末装置１０は、第２端末装置２０へ第２の参照信号送信要求応答を送信する（Ｓ２ｆ）。もちろん、Ｓ２ｄおよびＳ２ｅの処理は、双方の端末装置で実行してもよい。
【００５２】
第１端末装置１０および第２端末装置２０は、Ｓ２ａおよびＳ２ｂで基地局装置３０から通知されているＤ２Ｄ通信に使用可能な無線リソースであって、かつ、全てまたは一部の未使用無線リソースにおける第２の参照信号を互いに送信する（Ｓ２ｇ）。この第２の参照信号を用いて、第１端末装置１０および第２端末装置２０のそれぞれは、未使用無線リソースの無線品質を測定する（Ｓ２ｈ，Ｓ２ｉ）。Ｄ２Ｄ通信を行っている無線品質が低下した際などに、セルラ通信と同じような仕組みを使用してＤ２Ｄ通信を行う端末装置間でＳ２ｈおよびＳ２ｉで測定した無線品質情報を共有し、使用すべき無線リソースを選択し、切り替え、基地局に報告変更する（Ｓ２ｊ）。
【００５３】
なお、Ｓ２ｅで第２端末装置２０が第２の参照信号の送信を相手方の第１端末装置１０へ要求する際の判断に使用する、Ｄ２Ｄ通信に使用している無線リソースの無線品質の閾値を、基地局装置３０が決定し、第２端末装置２０にあらかじめ通知してもよい。また、上記実施例１と同じく、実行中のＤ２Ｄ通信における与干渉を減らす、端末装置の消費電力を削減する、等の観点から、常に第２の参照信号を送信せず、時間、周波数領域において第２の参照信号の送信頻度を減らす、時間オフセットを付与する、等を行ってもよい。なお、これらの制御情報は基地局装置３０が管理し、各端末装置へ通知することができる。また、Ｄ２Ｄ通信を行う端末装置が異なる基地局装置と接続している場合、上記の閾値や制御情報は、当該基地局装置３０が接続しているバックホール回線（例えばＸ２インターフェース）を用いて共有してもよいし、Ｄ２Ｄ通信を行う端末装置間で直接共有してもよい。
【００５４】
以上述べたように、実施例２では、Ｄ２Ｄ通信を実行中の無線リソースの品質が低下したことを契機にして、Ｄ２Ｄ通信の相手方の端末装置に第２の参照信号の送信を要求し、互いに第２の参照信号を送信するようにする。このようにすることで、上記実施例１と同様の効果を奏するとともに、実施例１と比較して、第２の参照信号の送信回数を削減できるため、実行中のＤ２Ｄ通信への与干渉を回避し、端末装置の電力消費を抑えることができる。
【００５５】
（実施例３）
本発明の実施例３について、図６を用いて説明する。図６は、実施例３にかかる無線通信システムの動作例を示すシーケンス図である。実施例１、２と同様に、この無線通信システムには、Ｄ２Ｄ通信を行う第１端末装置１０および第２端末装置２０と、Ｄ２Ｄ通信をサポートする基地局装置３０とが存在する。上記実施例２では、Ｄ２Ｄ通信を実行中の無線リソースの無線品質が低下した場合に、端末装置がＤ２Ｄ通信の相手方の端末装置へ第２の参照信号の送信を要求するが、実施例３では、Ｄ２Ｄ通信を実行中の無線リソースの無線品質が低下した場合に、端末装置は基地局装置３０へ相手方の端末装置を識別する情報とともに第２の参照信号の送信要求を送信する。
【００５６】
図６において、基地局装置３０は、あらかじめＤ２Ｄ通信に使用可能な無線リソース情報を含む制御メッセージを端末装置へ通知している（Ｓ３ａ，Ｓ３ｂ）。第１端末装置１０および第２端末装置２０は、Ｓ２ａおよびＳ２ｂで基地局装置３０から通知された無線リソースの一部を選択してＤ２Ｄ通信を開始し、Ｄ２Ｄ通信を行っている無線リソースで無線品質を測定するための第１の参照信号と、データとを送信する（Ｓ３ｃ）。
【００５７】
ここで、上記実施例２と異なり、実施例３における第２端末装置２０は、Ｄ２Ｄ通信を行っている無線リソースにおける無線品質を測定し（Ｓ３ｄ）、当該無線品質が所定の閾値以下になった場合に、基地局装置３０に対して、Ｄ２Ｄ通信を行う相手方の端末装置を識別する情報（ここでは、第１端末装置１０のＵＥＩＤ）とともに、Ｄ２Ｄ通信に使用していない全てまたは一部の無線リソースにおける第２の参照信号の送信要求を送信する（Ｓ３ｅ）。Ｄ２Ｄ通信に使用していない全てまたは一部の無線リソースにおける第２の参照信号の送信要求とは、未使用無線リソースにおいて第２の参照信号を送信できるようにするために、割り当てられていない無線リソースの新たな割り当てを要求することを含む。なお、Ｓ３ｄおよびＳ３ｅの処理は、双方の端末装置で実行してもよい。相手方の端末装置を識別する情報としては、ＩＭＳＩ、電話番号情報、ＩＰ  ａｄｄｒｅｓｓ、あるいはＭＡＣ  Ａｄｄｒｅｓｓ、Ｒａｄｉｏ  Ｎｅｔｗｏｒｋ  Ｔｅｍｐｏｒａｒｙ  ＩＤ（ＲＮＴＩ）などを用いることができる。
【００５８】
第１端末装置１０からＤ２Ｄ通信を行う相手方の第１端末装置１０を識別する情報と、Ｄ２Ｄ通信に使用していない全てまたは一部の無線リソースにおける第２の参照信号の送信要求とを受信した基地局装置３０は、当該送信要求を、必要に応じて第２の参照信号の制御情報と共に、Ｄ２Ｄ通信を行う相手方の第１端末装置１０へ通知する（Ｓ３ｆ）。また、基地局装置３０は、当該送信要求に対する応答を、必要に応じて第２の参照信号の制御情報と共に、要求元の第２端末装置２０へ送信する（Ｓ３ｇ）。
【００５９】
第１端末装置１０および第２端末装置２０は、Ｓ３ａおよびＳ３ｂで基地局装置３０から通知されているＤ２Ｄ通信に使用可能な無線リソースであって、かつ当該端末装置がＤ２Ｄ通信に使用していない全てまたは一部の無線リソースにおける第２の参照信号を互いに送信する（Ｓ３ｈ）。この第２の参照信号を用いて、第１端末装置１０および第２端末装置２０のそれぞれは、Ｄ２Ｄ通信を行っていない無線リソースの無線品質も測定する（Ｓ３ｈ，Ｓ３ｉ）。Ｄ２Ｄ通信を行っている無線品質が低下した際などに、セルラ通信と同じような仕組みを使用してＤ２Ｄ通信を行う端末装置間でＳ３ｉおよびＳ３ｊで測定した無線品質情報を共有し、使用すべき無線リソースを選択し、切替処理し、基地局装置３０に報告する（Ｓ３ｋ）。
【００６０】
なお、上記実施例２と同様に、Ｓ３ｄで第２端末装置２０が第２の参照信号の送信を相手方の第１端末装置１０へ要求する際の判断に使用する、Ｄ２Ｄ通信に使用している無線リソースの無線品質の閾値を、基地局装置３０が決定し、第２端末装置２０にあらかじめ通知してもよい。また、上記実施例１，２と同じく、実行中のＤ２Ｄ通信における与干渉を減らす、端末装置の消費電力を削減する、等の観点から、常に第２の参照信号を送信せず、時間、周波数領域において第２の参照信号の送信頻度を減らす、時間オフセットを付与する、等を行ってもよい。なお、これらの制御情報は基地局装置３０が管理し、Ｓ３ｆおよびＳ３ｇの制御メッセージに含めて各端末装置へ通知することができる。また、Ｄ２Ｄ通信を行う端末装置が異なる基地局装置と接続している場合、上記の閾値や制御情報は、当該基地局装置３０が接続しているバックホール回線（例えばＸ２インターフェース）を用いて共有してもよいし、Ｄ２Ｄ通信を行う端末装置間で直接共有してもよい。
【００６１】
以上述べたように、実施例３では、Ｄ２Ｄ通信を実行中の無線リソースの品質が低下したことを契機にして、基地局装置３０へＤ２Ｄ通信の相手方の端末装置を識別する情報とともに第２の参照信号の送信要求を送信し、端末装置間で互いに第２の参照信号を送信するようにする。このようにしても、上記実施例１，２と同様の効果を奏することができ、Ｄ２Ｄ通信の通信品質を改善し、無線リソースの有効活用が可能になる。
【００６２】
以上、本発明を実施例をもとに説明した。本発明は上述した実施例並びに各実施例の内容に限定されるものではなく、本発明の要旨の範囲内において種々に変形して実施をすることが可能である。上記実施例は例示であり、各実施例を組み合わせるなどして、それらの各構成要素や各処理プロセスの組み合わせにいろいろな変形例が可能なこと、またそうした変形例も本発明の範囲にあることは当業者に理解されるところである。
【符号の説明】
【００６３】
１００…無線通信システム、１０…第１端末装置、２０…第２端末装置、３０…基地局装置、１２…通信部、１２２…セルラ通信部、１２４…端末間通信部、１４…制御部、１４２…参照信号制御部、１４４…測定部、１４６…無線リソース制御部、１６…記憶部、１８…ユーザＩＦ、３２…通信部、３２２…無線通信部、３２４…ネットワーク通信部、３４…制御部、３４２…リソース割当部、３４４…制御情報設定部、３６…記憶部。
【図１】
2016092745.tif 000003
【図２】
2016092745.tif 000004
【図３】
2016092745.tif 000005
【図４】
2016092745.tif 000006
【図５】
2016092745.tif 000007
【図６】
2016092745.tif 000008